(57)【要約】【課題】足場構築体における足場板の桁側と妻側のうち、妻側に搭載される妻側幅木装置を提供する。【解決手段】足場構築体の作業空間の端部に位置する妻側横架材(3a)に搭載される妻側幅木装置であり、幅木本体(7)を妻側横架材(3a)に係脱自在に係止する下側係止手段(8)と、支柱(1)に係脱自在に係止する上側係止手段(9)を備えており、前記下側係止手段(8)は、断面円形とされた妻側横架材(3a)の外周面を抱持する抱持部材(12)を備え、該抱持部材(12)は、妻側横架材と足場板の隙間(S)から挿入自在かつ妻側横架材の外周面に沿って回動自在に構成され、該外周面の少なくとも側部及び下部を抱持した状態で幅木本体(7)を鉛直姿勢として起立支持するように構成され、前記上側係止手段(9)は、前記幅木本体が下側係止手段により起立支持された状態で、支柱の外周面を挟持する固定接支手段(14)と開閉係止手段(15)を備えている。【選択図】図７
2017210839.tif 000002
【特許請求の範囲】
【請求項１】
支柱と横架材と足場板を含んで構築され、相互に直交するＸ方向とＹ方向に関して、Ｘ方向に離間する一対の支柱(1,1)を相互に横架材(3)で連結すると共に、Ｙ方向に離間する横架材(3,3)の相互間にフック手段(4a)を介して足場板(4)を架設することにより、足場板と横架材の間に隙間(S)を残した状態で、足場板の上に作業空間を形成して成る足場構築体において、前記作業空間の端部に位置する妻側横架材(3a)の上に搭載される妻側幅木装置であり、
一対の支柱(1,1)の間で前記妻側横架材(3a)の上部に臨む空間を塞ぐ幅木本体(7)と、該幅木本体を妻側横架材(3a)に係脱自在に係止する下側係止手段(8)と、該幅木本体をそれぞれの支柱(1)に係脱自在に係止する上側係止手段(9)を備えており、
前記下側係止手段(8)は、断面円形とされた妻側横架材(3a)の外周面をＹ方向から抱持する抱持部材(12)を備え、該抱持部材(12)は、前記隙間(S)から挿入自在かつ妻側横架材の外周面に沿って回動自在に構成され、該外周面の少なくとも側部及び下部を抱持した状態で幅木本体(7)を鉛直姿勢として起立支持するように構成され、
前記上側係止手段(9)は、前記幅木本体が下側係止手段により起立支持された状態で、Ｙ方向から支柱の外周面を挟持する固定接支手段(14)と開閉係止手段(15)を備え、前記固定接支手段(14)は、幅木本体から延設されると共に支柱の外周面の一方側面に当接する延長部材(16)により形成され、前記開閉係止手段(15)は、支柱の外周面の他方側面に向けて進退自在かつ該他方側面に当接した状態で前記固定接支手段に係脱自在に係止される施錠部材(18)により形成されて成ることを特徴とする足場用妻側幅木装置。
【請求項２】
前記Ｙ方向のうち、妻側横架材から作業空間に向かうＹ１方向と、反対側に妻側横架材から外部空間に向かうＹ２方向に関して、
前記妻側横架材(3a)は、円形断面の中心で交差する水平線と鉛直線により４分割された外周面のうち、前記Ｙ１方向の上側に位置する第１外周面(13a)と、該Ｙ１方向の下側に位置する第２外周面(13b)と、前記Ｙ２方向の上側に位置する第３外周面(13c)を形成しており、
前記下側係止手段(8)を構成する抱持部材(12)は、妻側横架部材(3a)を抱持することにより幅木本体(7)を起立支持した状態で、少なくとも第１外周面(13a)に沿う円弧を備えた位置決め部(12a)と、第２外周面(13b)に係止する上動阻止部(12b)と、第３外周面(13c)に係止する横動阻止部(12c)を設けて成ることを特徴とする請求項１に記載の足場用妻側幅木装置。
【請求項３】
前記下側係止手段(8)を構成する抱持部材(12)は、上動阻止部(12b)と横動阻止部(12c)の間に位置して妻側横架材(3a)を進入可能とする進入開口(12d)を前記Ｙ２方向の斜め下向きに偏向させて形成し、前記上動阻止部(12b)を前記足場板と横架材の間の隙間(S)から挿入可能とする大きさ(W1)に形成しており、
幅木本体(7)を鉛直姿勢からＹ２方向に傾けた状態で、前記上動阻止部(12b)を前記隙間(S)に挿入することにより、前記進入開口(12d)から進入する妻側横架材(3a)の外周面に前記位置決め部(12a)を当接させると共に、該位置決め部(12a)を妻側横架材(3a)の外周面に沿って回動することにより、幅木本体(7)を鉛直姿勢とした状態で、前記上動阻止部(12b)を第２外周面(13b)に係止させ、前記横動阻止部(12c)を第３外周面(13c)に係止させるように構成して成ることを特徴とする請求項２に記載の足場用妻側幅木。
【請求項４】
前記上側係止手段(9)の施錠部材(18)は、幅木本体(7)の上部に対して縦軸廻りに回動自在かつ上下方向に移動自在に枢結された縦軸部(18a)と、該縦軸部から横向きに延びる開閉部(18b)と、該開閉部の先端から下向きに突出するロック部(18c)を備え、前記開閉部(18b)を前記固定接支手段(14)から離反する方向に後退させて幅木本体(7)の上部に沿わせた格納位置(P1)と、前記開閉部(18b)を前記固定接支手段(14)に向けて前進させて支柱の外周面に当接させた作動位置(P2)との間で回動するように構成されると共に、前記縦軸部(18a)を下動方向に付勢するスプリング(29)を設けており、
前記施錠部材(18)を前記格納位置(P1)とした状態で前記ロック部(18c)を挿入係止させる格納係止孔(21)を幅木本体(7)の上部に設け、前記施錠部材(18)を前記作動位置(P2)とした状態で前記ロック部(18c)を挿入係止させる作動係止孔(22)を前記固定接支手段(14)に設けて成ることを特徴とする請求項１、２又は３に記載の足場用妻側幅木。
【発明の詳細な説明】
【技術分野】
【０００１】
本発明は、足場構築体の作業空間を形成する足場板の桁側と妻側のうち、妻側に搭載される妻側幅木装置に関する。
【背景技術】
【０００２】
建設現場等において構築される仮設足場は、支柱と横架材と足場板並びにその他の部材により構成され、相互に直交するＸ方向とＹ方向に関して、Ｘ方向に離間する一対の支柱を相互に横架材で連結すると共に、Ｙ方向に離間する横架材の相互間にフック手段を介して足場板を架設することにより、足場板と横架材の間に隙間を残した状態で、足場板の上に作業空間を形成している。
【０００３】
ところで、高所作業を行う場合、作業中に誤って、工具又は作業用機材や、ボルト又はナットその他の物品が作業空間から外部空間に向けて落下する危険があるため、足場板の側縁に沿って幅木装置が設けられている。
【０００４】
幅木装置は、足場板の長手方向に沿う桁側の側縁に設けられる桁側幅木装置の他に、足場板の短手方向に沿う妻側の側縁に設けられる妻側幅木装置が提供されている。
【０００５】
このような妻側幅木装置は、足場板の妻側に位置して一対の支柱の間の空間を塞ぐ幅木本体を備えており、幅木本体を足場板の妻側端部に起立させた状態で該幅木本体の両端部に設けたフック手段を支柱に係止する構成としたもの（特許文献１）や、幅木本体を足場板の妻側端部に起立させた状態で該幅木本体の両端部に設けたフック手段及びロッド手段を隣接して設置された桁側幅木装置に係止する構成としたもの（特許文献２及び３）が公知とされている。
【先行技術文献】
【特許文献】
【０００６】
【特許文献１】特開２０１１−２４１６５６号公報
【特許文献２】特開２０１１−４７１１６号公報
【特許文献３】特開２０１０−２０３１３６号公報
【発明の概要】
【発明が解決しようとする課題】
【０００７】
上記のような公知技術の場合、妻側幅木装置は、上側においては支柱や隣接する桁側幅木装置に係止することにより固定されるが、下側においては単に幅木本体を足場板の端部に載置状態で支持しているに過ぎない。従って、作業空間を往来する作業者のつま先等が衝突すると、幅木本体の下側が容易にずれ動くおそれがある。そして、これにより幅木本体の姿勢が崩れ、外部空間に向けて偏位する問題があり、更に、上側の係止手段にも破損等の悪影響を及ぼすという問題がある。
【０００８】
そこで、このような問題を解決するためには、幅木本体の下側を単に足場板に載置するのではなく、ずれ動かないように固定することが望ましい。
【０００９】
この点に関して、例えば、幅木本体の下側に係止部材を設け、該係止部材を横架材に係止固定させる構成を提案することができる。しかしながら、横架材にはフック手段を介して足場板が架設されており、横架材と足場板の間に存在する隙間が極めて狭小なため、係止部材は、横架材の真上から係止させる構成とせざるを得ない。そして、この場合、幅木本体が強風を受けて浮き上がる等、外力により上動させられると、係止部材が横架材から容易に離脱するので、上記問題を本質的に解決することができない。
【００１０】
本発明は、幅木本体に設けた下側係止手段に関して、横架材と足場板の間の隙間が極めて狭小であるにもかかわらず、該隙間から挿入することが可能であり、しかも、横架材の外周面に沿って回動した状態で該外周面を少なくとも側部と下部から抱持することにより幅木本体を鉛直姿勢として起立支持することができ、この状態で、幅木本体に設けた上側係止手段で支柱を挟持すれば、幅木本体を鉛直姿勢として保持することが可能となるように構成した妻側幅木装置を提供することを課題とする。
【００１１】
好ましくは、下側係止手段により横架材を抱持した状態で、上下動及び横動を阻止した係止固定状態が得られるように構成した妻側幅木装置の提供を課題とする。
【００１２】
更に好ましくは、幅木本体に設けた上側係止手段に関して、妻側幅木装置の搭載時に、前述の下側係止手段と協働して幅木本体を鉛直姿勢として起立支持することが簡単であり、搭載作業を容易とするように構成した妻側幅木装置の提供を課題とする。
【課題を解決するための手段】
【００１３】
そこで、本発明が手段として構成したところは、支柱と横架材と足場板を含んで構築され、相互に直交するＸ方向とＹ方向に関して、Ｘ方向に離間する一対の支柱を相互に横架材で連結すると共に、Ｙ方向に離間する横架材の相互間にフック手段を介して足場板を架設することにより、足場板と横架材の間に隙間を残した状態で、足場板の上に作業空間を形成して成る足場構築体において、前記作業空間の端部に位置する妻側横架材の上に搭載される妻側幅木装置であり、一対の支柱の間で前記妻側横架材の上部に臨んで形成された空間を塞ぐ幅木本体と、該幅木本体を妻側横架材に係脱自在に係止する下側係止手段と、該幅木本体をそれぞれの支柱に係脱自在に係止する上側係止手段を備えており、前記下側係止手段は、断面円形とされた妻側横架材の外周面をＹ方向から抱持する抱持部材を備え、該抱持部材は、前記隙間から挿入自在かつ妻側横架材の外周面に沿って回動自在に構成され、該外周面の少なくとも側部及び下部を抱持した状態で幅木本体を鉛直姿勢として起立支持するように構成され、前記上側係止手段は、前記幅木本体が下側係止手段により起立支持された状態で、Ｙ方向から支柱の外周面を挟持する固定接支手段と開閉係止手段を備え、前記固定接支手段は、幅木本体から延設されると共に支柱の外周面の一方側面に当接する延長部材により形成され、前記開閉係止手段は、支柱の外周面の他方側面に向けて進退自在かつ該他方側面に当接した状態で前記固定接支手段に係脱自在に係止される施錠部材により形成されて成る点にある。
【００１４】
本発明の好ましい実施形態は、前記Ｙ方向のうち、妻側横架材から作業空間に向かうＹ１方向と、反対側に妻側横架材から外部空間に向かうＹ２方向に関して、前記妻側横架材は、円形断面の中心で交差する水平線と鉛直線により４分割された外周面のうち、前記Ｙ１方向の上側に位置する第１外周面と、該Ｙ１方向の下側に位置する第２外周面と、前記Ｙ２方向の上側に位置する第３外周面を形成しており、前記下側係止手段を構成する抱持部材は、妻側横架部材を抱持することにより幅木本体を起立支持した状態で、少なくとも第１外周面に沿う円弧を備えた位置決め部と、第２外周面に係止する上動阻止部と、第３外周面に係止する横動阻止部を設けている。
【００１５】
前記下側係止手段を構成する抱持部材は、上動阻止部と横動阻止部の間に位置して妻側横架材を進入可能とする進入開口を前記Ｙ２方向の斜め下向きに偏向させて形成し、前記上動阻止部を前記足場板と横架材の間の隙間から挿入可能とする大きさに形成しており、幅木本体を鉛直姿勢からＹ２方向に傾けた状態で、前記上動阻止部を前記隙間に挿入することにより、前記進入開口から進入する妻側横架材の外周面に前記位置決め部を当接させると共に、該位置決め部を妻側横架材の外周面に沿って回動することにより、幅木本体を鉛直姿勢とした状態で、前記上動阻止部を第２外周面に係止させ、前記横動阻止部を第３外周面に係止させるように構成している。
【００１６】
好ましくは、前記上側係止手段の施錠部材は、幅木本体の上部に対して縦軸廻りに回動自在かつ上下方向に移動自在に枢結された縦軸部と、該縦軸部から横向きに延びる開閉部と、該開閉部の先端から下向きに突出するロック部を備え、前記開閉部を前記固定接支手段から離反する方向に後退させて幅木本体の上部に沿わせた格納位置と、前記開閉部を前記固定接支手段に向けて前進させて支柱の外周面に当接させた作動位置との間で回動するように構成されると共に、前記縦軸部を下動方向に付勢するスプリングを設けており、前記施錠部材を前記格納位置とした状態で前記ロック部を挿入係止させる格納係止孔を幅木本体の上部に設け、前記施錠部材を前記作動位置とした状態で前記ロック部を挿入係止させる作動係止孔を前記固定接支手段に設けている。
【発明の効果】
【００１７】
本発明によれば、下側係止手段８と上側係止手段７により、幅木本体７を正しく鉛直姿勢として係止固定することができる。
【００１８】
この際、下側係止手段８は、妻側横架材３ａと足場板４の間の隙間Ｓが極めて狭小であるにもかかわらず、該隙間Ｓに挿入することが可能であると共に、抱持部材１２の位置決め部１２ａを妻側横架材３ａに載せることにより、妻側幅木装置６を預けた状態から、幅木本体７と共に下側係止手段８を起立方向に回動することにより、係止させることができるので、作業をスムースかつ容易に行うことができる
【００１９】
特に、幅木本体７を鉛直姿勢とするように下側係止手段８を回動したとき、抱持部材１２により妻側横架材３ａの外周面を少なくとも側部と下部から抱持する構成とされているので、上下方向の移動と横方向の移動が阻止された状態で、ずれ動き等を生じない好適な搭載状態を可能にするという効果がある。
【図面の簡単な説明】
【００２０】
【図１】本発明の第１実施形態に係る妻側幅木装置と、該妻側幅木装置を搭載する足場構築体を示す斜視図である。
【図２】第１実施形態に係る妻側幅木装置に関して、足場構築体に対する搭載前の状態と搭載後の状態を示す斜視図である。
【図３】妻側幅木装置の平面図である。
【図４】妻側幅木装置の正面図である。
【図５】妻側幅木装置と横架材の縦断面図である。
【図６】妻側幅木装置の下側係止手段により横架材を抱持する際の作用を示す縦断面図である。
【図７】下側係止手段により横架材を抱持すると共に上側係止手段により支柱を挟持した状態の妻側幅木装置を示す縦断面図である。
【図８】妻側幅木装置を足場構築体に搭載した状態を示しており、足場板と桁側幅木装置を図示省略した斜視図である。
【図９】第１実施形態に係る妻側幅木装置の不使用時における積層方法を示す側面図である。
【図１０】本発明の第２実施形態に係る妻側幅木装置を示す斜視図である。
【図１１】妻側幅木装置を足場構築体に搭載した状態を示す斜視図である。
【図１２】妻側幅木装置を足場構築体に搭載した状態を示す側面図である。
【図１３】第２実施形態に係る妻側幅木装置の不使用時における積層方法を示す側面図である。
【図１４】本発明の第３実施形態に係る妻側幅木装置を示しており、（Ａ）は平面図、（Ｂ）は正面図である。
【図１５】妻側幅木装置を足場構築体の妻側に連設状態で搭載した状態を示しており、（Ａ）は平面図、（Ｂ）は正面図である。
【発明を実施するための形態】
【００２１】
以下図面に基づいて本発明の好ましい実施形態を詳述する。
【００２２】
図１は、足場構築体として、フランジ式楔緊結構造を備えた仮設足場を例示している。支柱１は、金属製の円管材から成り、上下に所定間隔をあけて金属板から成るフランジ２を固設しており、Ｘ方向として示す建造物等の外壁に対する遠近方向に所定間隔をあけて立設された一対の支柱１、１を１組として、Ｙ方向として示す建造物等の外壁に沿う方向に所定間隔をあけて立設されており、前記一対の支柱１、１の間に、横架材３を架設し、支柱１と横架材３は、相互に楔構造の緊結手段により固着される。そこで、図１に示すように、Ｙ方向に離間する支柱１、１のそれぞれに固設された一対の横架材３、３の間に、足場板４が架設され、該足場板４の上に作業空間が形成されている。この際、足場板４は、Ｙ方向の両端部に設けたフック手段４ａを横架材３に上方から係止することにより架設されており、足場板４と横架材３の間に狭小な隙間Ｓを残した状態で作業空間を形成している。
【００２３】
しかしながら、本発明は、足場構築体の構成を目的とするものではないから、図示の構成に限定されるものではなく、フランジ式楔緊結構造以外の緊結構造を採用したものや、短管足場以外の枠組足場により構築されたものでも良い。更に、図示省略しているが、桁方向に離間する支柱１、１の間に先行手摺を設けても良い。
【００２４】
足場構築体は、作業空間の端部に位置する足場板４の長手方向に沿う桁側の側縁に対して、Ｘ１方向で示す内側を作業空間、Ｘ２方向で示す外側を外部空間としており、作業空間の端部に位置する横架材（以下、「妻側横架材３ａ」という。）に臨む足場板４の短手方向に沿う妻側の側縁に対して、Ｙ１方向で示す内側を作業空間、Ｙ２方向で示す外側を外部空間としている。
【００２５】
そこで、前記足場板４の桁側の側縁には、桁側幅木装置５が搭載され、前記妻側横架材３ａには、本発明の妻側幅木装置６が搭載される。尚、桁側幅木装置５は、本発明の目的ではなく、図例のような装置の他、従来公知の装置を任意に使用することができる。
【００２６】
（第１実施形態）
図１ないし図９は、本発明の第１実施形態に係る妻側幅木装置６を示しており、妻側幅木装置６は、一対の支柱１、１の間で前記妻側横架材３ａの上部に臨んで形成された空間を塞ぐ幅木本体７と、該幅木本体７を妻側横架材３ａに係脱自在に係止する下側係止手段８と、該幅木本体７をそれぞれの支柱１，１に係脱自在に係止する上側係止手段９を備えており、更に、幅木本体７の内側面（Ｙ１方向に臨む面）に隙間塞ぎ板１０が設けられている。
【００２７】
第１実施形態の場合、後述するように、下側係止手段８は、幅木本体７の底部を妻側横架材３ａの中心軸線Ｘに沿って該軸線Ｘの直上に設置するように構成されており、このため、妻側横架材３ａと足場板４の間の隙間Ｓを塞ぐための隙間塞ぎ板１０を設けている。隙間塞ぎ板１０は、幅木本体７の底部近傍の内側面に蝶番等の枢結部材１１を介して回動自在に連結されており、図２に示すように、幅木本体７の内側面に沿って起立させられた折畳姿勢ｐ１と、該折畳姿勢から反転させられた展開姿勢ｐ２との間で回動自在である。
【００２８】
（下側係止手段）
図５ないし図７に示すように、前記下側係止手段８は、幅木本体７の底面にリベット等の固着具を介して固着された金属板製の抱持部材１２から成り、断面円形とされた妻側横架材３ａの外周面をＹ方向から係脱自在に抱持するように構成されている。この際、抱持部材１２は、前記隙間Ｓから挿入自在かつ妻側横架材３ａの外周面に沿って回動自在に構成され、該外周面の少なくとも側部及び下部を抱持した状態で幅木本体７を鉛直姿勢として起立支持するように構成されている。尚、図示実施形態の場合、幅木本体７の底面に間隔をあけて２個の抱持部材１２、１２を設けているが、その個数を問うものではない。
【００２９】
図５に示すように、妻側横架材３ａは、前記Ｙ１方向とＹ２方向に関して、円形断面の中心で交差する水平線と鉛直線により４分割された外周面のうち、前記Ｙ１方向の上側に位置する第１外周面１３ａと、該Ｙ１方向の下側に位置する第２外周面１３ｂと、前記Ｙ２方向の上側に位置する第３外周面１３ｃを形成しており、これに対して、前記抱持部材１２は、妻側横架部材３ａを抱持することにより幅木本体７を起立支持した状態で、少なくとも第１外周面１３ａに沿う円弧を備えた位置決め部１２ａと、第２外周面１３ｂに係止する上動阻止部１２ｂと、第３外周面１３ｃに係止する横動阻止部１２ｃを設けている。図例の場合、位置決め部１２ａの円弧が上動阻止部１２ｂ及び横動阻止部１２ｃの一部に至るように延長されているが、必須要件ではない。
【００３０】
前記上動阻止部１２ｂは、後述するように幅木本体７と共に抱持部材１２を傾けることにより、妻側横架材３ａと足場板４の間の隙間Ｓに対して斜め上方から挿入可能であり、このため、隙間Ｓの幅寸法Ｓ１に対して、上動阻止部１２ｂの幅寸法Ｗ１は、Ｗ１≦Ｓ１とするように形成されている。そして、抱持部材１２は、上動阻止部１２ｂと横動阻止部１２ｃの間に位置して妻側横架材３ａを進入可能とする進入開口１２ｄを前記Ｙ２方向の斜め下向きに偏向させて形成している。
【００３１】
そこで、妻側幅木装置６を足場構築体に搭載するため、前記下側係止手段８を妻側横架材３ａに設置する際は、図６に示すように、隙間塞ぎ板１０を折畳姿勢ｐ１とした状態で、角度θで示すように、幅木本体７を鉛直姿勢からＹ２方向に傾け、抱持部材１２の上動阻止部１２ｂを隙間Ｓに挿入すると、進入開口１２ｄから進入した妻側横架材３ａの外周面に位置決め部１２ａが当接する。そこで、この状態から、位置決め部１２ａを妻側横架材３ａの外周面に沿って回動すると、幅木本体７が支柱１の中心軸線Ｚに沿って鉛直姿勢とされる。
【００３２】
このように傾斜姿勢から起立姿勢に向けて下側係止手段８を回動する際、位置決め部１２ａが妻側横架材３ａの外周面に案内され、妻側横架材３ａの円形断面の中心を支点として回動する。従って、作業者は、位置決め部１２ａを妻側横架材３ａに載せることにより、妻側幅木装置６を預けた状態から、幅木本体７と共に下側係止手段８を起立方向に回動するだけで良いので、作業をスムースかつ容易に行うことができる。
【００３３】
そして、幅木本体７を鉛直姿勢とするだけで、上動阻止部１２ｂが妻側横架材３ａの第２外周面１３ｂに係止し、幅木本体７の上下方向の移動を阻止する。これと同時に、横動阻止部１２ｃが妻側横架材３ａの第３外周面１３ｃに係止し、幅木本体７の横方向（Ｙ方向）の移動を阻止する。これにより、幅木本体７は、下側係止手段８により、上下方向及び横方向の移動が阻止された状態で妻側横架材３ａに係止される。
【００３４】
尚、足場構築体の解体等のために、妻側幅木装置６の下側係止手段８を妻側横架材３ａから離脱させるときは、前記と逆の作業を行えば良く、幅木本体７を鉛直姿勢から角度θで示すように傾け、抱持部材１２の上動阻止部１２ｂを隙間Ｓから抜き出せば良い。
【００３５】
（上側係止手段）
図示実施形態の場合、妻側幅木装置６は、幅木本体７の上下寸法が隣接して搭載された桁側幅木装置５の上端部を越える高さを有する大きさに形成されており、該幅木本体７の頂部の両端部に位置して一対の上側係止手段９、９を設けている。
【００３６】
上側係止手段９は、下側係止手段８を妻側横架材３ａに係止することにより幅木本体７を起立支持した状態で、Ｙ方向から支柱１の外周面を挟持する固定接支手段１４と開閉係止手段１５を備えている。
【００３７】
固定接支手段１４は、幅木本体７の頂部の両端部にリベット等の固着具を介して固着されると共に該両端部から突出するように延設された延長部材１６により形成され、前記Ｙ１方向に向けて開口する凹部１７を備えており、支柱１の外周面のうちＹ２方向に臨む一方側面を当接状態で抱持するように構成されている。
【００３８】
開閉係止手段１５は、支柱１の外周面のうちＹ１方向に臨む他方側面に向けて進退自在かつ該他方側面に当接した状態で前記固定接支手段１４に係脱自在に係止されるロッドから成る施錠部材１８により形成されている。
【００３９】
図示実施形態において、施錠部材１８は、幅木本体７の上部に対して縦軸廻りに回動自在かつ上下方向に移動自在に枢結された縦軸部１８ａと、該縦軸部１８ａから横向きに延びる開閉部１８ｂと、該開閉部１８ｂの先端から下向きに突出するロック部１８ｃを備えており、図３に示すように、前記開閉部１８ｂを前記固定接支手段１４から離反する方向に後退させて幅木本体７の上部に沿わせた格納位置Ｐ１と、該開閉部１８ｂを前記固定接支手段１４に向けて前進させて支柱１の外周面に当接させた作動位置Ｐ２との間で回動するように構成されている。この際、図例のように、前記開閉部１８ｂは、平面視の形状を門形に形成していることが好ましく、これにより、幅木本体７からＹ２方向に向けて突出する固定接支手段１４の突出寸法Ｗ２を小さく形成することが可能となる。
【００４０】
図４及び図５に示すように、縦軸部１８ａは、幅木本体７の内部で軸受ブラケット１９により回動自在かつ上下動自在に軸支され、常時は、スプリング２０により下動方向に弾発付勢されている。
【００４１】
施錠部材１８は、前述のように格納姿勢Ｐ１と作動姿勢Ｐ２の間で回動自在とされ、格納姿勢Ｐ１としたとき前記ロック部１８ｃを挿入係止するための格納係止孔２１が幅木本体７の上部に設けられ、作動姿勢Ｐ２としたとき前記ロック部１８ｃを挿入係止するための作動係止孔２２が前記延長部材１６の延長端部に設けられている。
【００４２】
従って、作業者の指先で開閉部１８ｂを引き上げることにより縦軸部１８ａをスプリング２０に抗して上動させると、ロック部１８ｃが格納係止孔２１又は作動係止孔２２が離脱するので、開閉部１８ｂを回動させることができ、前記格納姿勢Ｐ１又は作動姿勢Ｐ２とした状態で指先を放せば、スプリング２０により縦軸部１８ａが下動し、ロック部１８ｃを格納係止孔２１又は作動係止孔２２に挿入係止するように構成されている。
【００４３】
そこで、上述のように下側係止手段８を妻側横架材３ａに係止させ幅木本体７を鉛直姿勢とした図７の状態において、施錠部材１８を作動姿勢Ｐ２としてロック部１８ｃを作動係止孔２２に係止すれば、固定接支手段１４を構成する延長部材１６と開閉係止手段１５を構成する施錠部材１８が支柱１をＹ方向の両側から挟持し、幅木本体７の上側部分を支柱１に対して固定することができる。
【００４４】
上記により妻側幅木装置６の搭載が完了し、その後は、隙間塞ぎ板１０を展開姿勢ｐ２とすることにより隙間Ｓを塞ぎ、足場構築体の作業空間で所定の高所作業を行えば良い。
【００４５】
尚、足場構築体の解体等のために、妻側幅木装置６の上側係止手段９を支柱１から離脱させるときは、前記と逆の作業を行えば良く、施錠部材１８を回動することにより固定接支手段１４の凹部１７を開放させれば、下側係止手段８に関して上述したように、幅木本体７を鉛直姿勢から角度θで示すように傾けることが可能になる。
【００４６】
（保管時）
第１実施形態に係る妻側幅木装置６は、上述のように固定接支手段１４の突出寸法Ｗ２を小さく形成しているので、運搬時又は保管時には、図９に示すように、多数の妻側幅木装置６を好適に積層することができる。即ち、幅木本体７の厚さＴに対して、前記突出寸法Ｗ２は、Ｗ２≦Ｔに形成することができるので、図示のように、積層される妻側幅木装置６の幅木本体７の頂部と底部が交互に入れ替わるように重ねることにより、上下の固定接支手段１４が相互に干渉することはなく、全体としてコンパクトかつ納まりの良い積層が可能となる。
【００４７】
（第２実施形態）
図１０ないし図１３は、本発明の第２実施形態に係る妻側幅木装置６を示している。装置の基本的構成と基本的作用は、第１実施形態の場合と同様であるから、同様の構成部分は同一符号で示しており、以下、相違部分について説明する。
【００４８】
第２実施形態の場合、図１２に示すように、妻側横架材３ａと足場板４の間の隙間Ｓを幅木本体７の底面で塞ぐように構成しており、第１実施形態のような隙間塞ぎ板１０を設ける必要がないように構成されている。
【００４９】
このため、図示のように、下側係止手段８を構成する抱持部材１２は、横向きブラケット部１２ｅを介して幅木本体７の底面に固着することにより、該底面からＹ２方向に偏位するように設けられている。更に、これに対応して、上側係止手段９の固定接支手段１４を構成する延長部材１６は、突出寸法Ｗ３で示すように、幅木本体７からＹ２方向に大きく突出するように形成されており、該延長部材１６の凹部１７に抱持された支柱１を挟持する施錠部材１８は、該施錠部材１８の開閉部１８ｂを直線状に形成している。
【００５０】
ところで、第２実施形態の場合、幅木本体７により隙間Ｓを塞ぐことができる利点を有する反面、前述のように上側係止手段９の固定接支手段１４が大きく張出すので、該固定接支手段１４が運搬や保管のための積層を妨げるおそれがある。このため、図示のように、固定接支手段１４を幅木本体７の頂部から斜め上向きに傾斜するように形成している。
【００５１】
このように固定接支手段１４を傾斜させることにより、図１３に示すように、多数の妻側幅木装置６を積層する際に、幅木本体７の厚さＴに対して、前記突出寸法Ｗ３がＷ３＞Ｔ（図例の場合はＷ３＞Ｔ×２）とされている場合でも、幅木本体７の頂部と底部が交互に入れ替わるように重ねることにより、上下の固定接支手段１４が相互に干渉することはなく、全体としてコンパクトかつ納まりの良い積層が可能となる。
【００５２】
（第３実施形態）
図１４及び図１５は、本発明の第２実施形態に係る妻側幅木装置６を示している。装置の基本的構成と基本的作用は、第１実施形態の場合と同様であるから、同様の構成部分は同一符号で示しており、以下、相違部分について説明する。
【００５３】
妻側幅木装置６は、図１４に示すように、足場構築体の一対の支柱１、１の間において妻側横架材３ａに搭載され、この点は、上述のとおりであるが、妻側に沿って（つまりＸ方向に向けて）３本以上の支柱１を立設することにより幅広の作業空間を形成している足場構築体においては、図１５に示すように、隣り合う複数本の妻側横架材３ａ、３ａにそれぞれ妻側幅木装置３、３を連設状態で搭載することが必要になる。
【００５４】
そこで、第２実施形態の妻側幅木装置６は、図１４（Ｂ）に示すように、幅木本体７の左右両端部に設けた上側係止手段９の固定接支手段１４に関して、一方（図示の場合は左側）の上側係止手段９Ｌにおける固定接支手段１４Ｌの設置位置の高さＨ１と、他方（図示の場合は右側）の上側係止手段９Ｒにおける固定接支手段１４Ｒの設置位置の高さＨ２をＨ１＞Ｈ２とするように相違させている。これにより、図１５に示すように、支柱１を挟んで隣り合う妻側横架材３ａ、３ａにそれぞれ搭載される妻側幅木装置６、６は、相互に左右の固定接支手段１４Ｌ、１４Ｒを上下に位置させることにより、互いが干渉することなく支柱１に好適に係止され、これにより左右の妻側幅木装置６、６連設状態として搭載可能にする。
【００５５】
上側係止手段９を構成する開閉係止手段１５は、上述の第１実施形態と同様に、スプリング２０に抗して上動可能な縦軸１８ａを中心として、格納位置Ｐ１と作動位置Ｐ２の間で回動自在とされ、ロック部１８ｃを格納係止孔２１と作動係止孔２２に選択的に挿入係止される。この際、第２実施形態では、縦軸１８ａを上向きに延長することにより延長軸部１８ｄを設け、該延長軸部１８ｄからロック部１８ｃに向けて延びる開閉部１８ｂの形状に関して、図１４（Ｂ）の正面視に示されるように、ロック部１８ｃの近傍で幅木本体７の頂面に沿う接支部１８ｅと、該接支部１８ｅから前記延長軸部１８ｄの上端に向けて幅木本体７の頂面から離間する上向き突出部１８ｆを形成している。そして、図１４（Ａ）の平面視に示されるように、前記接支部１８ｅと上向き突出部１８ｆを相互に屈折させることにより抱持部１８ｇを形成している。
【００５６】
このような構成とすることにより、上述のように左右の固定接支手段１４Ｌ、１４Ｒの高さＨ１、Ｈ２を相違させた場合でも、開閉係止手段１５は、左右の上側係止手段９Ｌ、９Ｒにおける左右の開閉係止手段１５Ｌ、１５Ｒとして、同一部品を使用することが可能となる。即ち、図１４（Ｂ）に鎖線で示すように、左右の開閉係止手段１５Ｌ、１５Ｒは、作動姿勢Ｐ２としたとき、相互に高さを相違する固定接支手段１４Ｌ、１４Ｒに対して接支部１８ｅを接支させられるが、延長軸部１８ｄにより上下動の許容ストロークが長く形成されているので、それぞれの接支部１８ｅを高さが相違する固定接支手段１４Ｌ、１４Ｒに好適に接支させることができる。
【００５７】
そして、作動姿勢Ｐ２とされた開閉係止手段１５は、屈折させられた抱持部１８ｇにより支柱１の外周面を好適に抱持し、ガタツキのない状態で支柱１を挟持することができる利点がある。
【符号の説明】
【００５８】
１  支柱
２  フランジ
３  横架材
３ａ  妻側横架材
４  足場板
４ａ  フック手段
５  桁側幅木装置
６  妻側幅木装置
７  幅木本体
８  下側係止手段
９  上側係止手段
１０  隙間塞ぎ板
１１  枢結部材
１２  抱持部材
１２ａ  位置決め部
１２ｂ  上動阻止部
１２ｃ  横動阻止部
１２ｄ  進入開口
１３ａ  第１外周面
１３ｂ  第２外周面
１３ｃ  第３外周面
１４  固定接支手段
１５  開閉係止手段
１６  延長部材
１７  凹部
１８  施錠部材
１８ａ  縦軸
１８ｂ  開閉部
１８ｃ  ロック部
１８ｄ  延長軸部
１８ｅ  接支部
１８ｆ  上向き突出部
１８ｇ  抱持部
１９  軸受ブラケット
２０  スプリング
２１  格納係止孔
２２  作動係止孔
【図１】
2017210839.tif 000003
【図２】
2017210839.tif 000004
【図３】
2017210839.tif 000005
【図４】
2017210839.tif 000006
【図５】
2017210839.tif 000007
【図６】
2017210839.tif 000008
【図７】
2017210839.tif 000009
【図８】
2017210839.tif 000010
【図９】
2017210839.tif 000011
【図１０】
2017210839.tif 000012
【図１１】
2017210839.tif 000013
【図１２】
2017210839.tif 000014
【図１３】
2017210839.tif 000015
【図１４】
2017210839.tif 000016
【図１５】
2017210839.tif 000017